(57)【要約】【課題】電源の配線を短くし、配線の束線を容易にすると共に材料費を抑えることが可能で、電源の配線によるノイズの影響を抑え各基板に安定した電源の供給を行い、安定した動作が可能な遊技機を提供することにある。【解決手段】遊技機の全体の制御を行う主基板と、図柄表示、ランプ表示又は音声出力等の制御を行う複数の副基板と、主基板及び副基板に電源を供給する電源基板とを備えた遊技機において、電源を電源基板から主基板に直接供給すると共に、電源を副基板で中継しつつ、電源を中継した副基板を除く他の副基板に電源を供給することを特徴とする。【選択図】　図２
2004073665.tif 000002
【特許請求の範囲】
【請求項１】
遊技機の全体の制御を行う主基板と、図柄表示、ランプ表示又は音声出力等の制御を行う複数の副基板と、該主基板及び該副基板に電源を供給する電源基板とを備えた遊技機において、
該電源を該電源基板から該主基板に直接供給すると共に、
該電源を該副基板で中継しつつ、該電源を中継した副基板を除く他の該副基板に該電源を供給することを特徴とする遊技機。
【請求項２】
前記電源を前記主基板で中継しつつ、前記電源の供給を受けている副基板を除く他の前記副基板に該電源を供給することを特徴とする請求項１記載の遊技機。
【請求項３】
遊技機の全体の制御を行う主基板と、図柄表示、ランプ表示又は音声出力等の制御を行う複数の副基板と、該主基板及び該副基板に電源を供給する電源基板とを備えた遊技機において、
該電源を該主基板で中継しつつ、該副基板に該電源を供給することを特徴とする遊技機。
【請求項４】
前記電源の供給を受けている副基板で中継しつつ、該電源の供給を受けている副基板を除く他の前記副基板に該電源を供給することを特徴とする請求項３記載の遊技機。
【請求項５】
遊技機の全体の制御を行う主基板と、図柄表示、ランプ表示又は音声出力等の制御を行う複数の副基板と、該主基板及び該副基板に電源を供給する電源基板とを備えた遊技機において、
該電源を該主基板で中継しつつ、該副基板に該電源を供給すると共に、
該電源の供給を受けている副基板で中継しつつ、該電源の供給を受けている副基板を除く他の該副基板に該電源を供給することを特徴とする遊技機。
【請求項６】
前記電源基板を前記遊技機の下部に配設し、
該遊技機の下方に配設した前記主基板又は前記副基板から、
該主基板又は該下方の副基板の上方に配設した前記副基板に向かって、前記電源を中継することを特徴とする請求項１〜請求項５のいずれかに記載の遊技機。
【請求項７】
互いに隣接する前記主基板又は前記副基板の間で、前記電源を中継することを特徴とする請求項１〜請求項６のいずれかに記載の遊技機。
【請求項８】
前記副基板のうち、液晶等の表示器の図柄表示制御を行う図柄制御基板を、前記電源の中継の末端に接続することを特徴とする請求項１〜請求項７のいずれかに記載の遊技機。
【発明の詳細な説明】
【０００１】
【発明の属する技術分野】
本発明は、パチンコ機等の遊技機における電源の配線に関する。
【０００２】
【従来の技術】
例えば、パチンコ遊技場の島台に多数並設される遊技機であるパチンコ機には、商用１００ボルト交流電源をトランスによって２４ボルトに降圧した２４ボルト交流電源が供給されている。そして、各パチンコ機に設けられた電源基板で、２４ボルト交流電源をパチンコ機内部で必要な各種の電圧の直流電源に変換している。
【０００３】
この従来の遊技機の直流電源の配線の例を図４に示す。図４において、遊技機２０の外部から供給される２４ボルト交流電源は、ＡＣ２４Ｖ電源ケーブル２１を介して、払出制御基板２４で中継され、電源基板２３及び遊技機２０以外のカードユニット等に供給される（図４のＡＣ電源系矢線）。電源基板２３は、ＡＣ２４Ｖから各基板に必要な直流の電源を作り出して各基板に直接供給する（図４のＤＣ電源系矢線）。電源基板２３から電源の供給を受ける基板は、遊技機２０の全体の動作を司る主基板２５、主基板２５以外の副基板であって球の払い出し、音声出力、ランプ表示及び図柄表示等のそれぞれを行う払出制御基板２４、音声制御基板２７，ランプ制御基板２８，図柄制御基板２９等である。図４に示すように、従来の遊技機２０では、電源基板２３から直接各基板に電源の配線が接続され、電源基板２３から電源の供給を受けた各基板がそれぞれの動作をすることにより、遊技機２０が動作する。
【０００４】
【発明が解決しようとする課題】
しかしながら、従来の遊技機では、電源基板２３からそれぞれの基板に電源が配線されていることから、それぞれの配線が長く、束線作業が煩雑であると共に材料費を抑えることが困難であった。
【０００５】
また、電源の配線が頭上を通過する基板のノイズが配線に混入したり、逆に電源の配線からその基板にノイズを与えたりして、各基板に安定した電源の供給ができず、遊技機を安定して動作させることが困難であった。
【０００６】
本発明は、このような事情に鑑みてなされたもので、電源の配線を短くし、配線の束線を容易にすると共に材料費を抑えることが可能で、電源の配線によるノイズの影響を抑え各基板に安定した電源の供給を行い、安定した動作が可能な遊技機を提供することにある。
【０００７】
【課題を解決するための手段】
請求項１記載の遊技機は、電源を電源基板から主基板に直接供給すると共に、電源を副基板で中継しつつ、電源を中継した副基板を除く他の副基板に電源を供給することを特徴とする。
【０００８】
請求項２記載の遊技機は、電源を主基板で中継しつつ、電源の供給を受けている副基板を除く他の副基板に電源を供給することを特徴とする。
【０００９】
請求項３記載の遊技機は、電源を主基板で中継しつつ、副基板に電源を供給することを特徴とする。
【００１０】
請求項４記載の遊技機は、電源の供給を受けている副基板で中継しつつ、電源の供給を受けている副基板を除く他の副基板に電源を供給することを特徴とする。
【００１１】
請求項５記載の遊技機は、電源を主基板で中継しつつ、副基板に電源を供給すると共に、電源の供給を受けている副基板で中継しつつ、電源の供給を受けている副基板を除く他の副基板に電源を供給することを特徴とする。
【００１２】
請求項６記載の遊技機は、電源基板を遊技機の下部に配設し、遊技機の下方に配設した主基板又は副基板から、主基板又は下方の副基板の上方に配設した副基板に向かって、電源を中継することを特徴とする。
【００１３】
請求項７記載の遊技機は、互いに隣接する主基板又は副基板の間で、電源を中継することを特徴とする。
【００１４】
請求項８記載の遊技機は、副基板のうち、液晶等の表示器の図柄表示制御を行う図柄制御基板を、電源の中継の末端に接続することを特徴とする。
【００１５】
【発明の実施の形態】
以下、本発明の形態について図面を参照しながら具体的に説明する。図１は、本発明に係る遊技機の実施形態を示す背面図である。図２は、本発明に係る遊技機の実施形態を示す電源系統図である。図３は、本発明に係る遊技機の実施形態を示す配線図である。
【００１６】
図１〜図３において、遊技機１は、パチンコ遊技機やスロットマシン等であり、図１は一例としてパチンコ遊技機の背面図を示している。遊技機１は、パチンコ遊技機としての動作に必要な電気基板として、フィルタ基板２、電源基板３、払出制御基板４、主基板５，音声制御基板７，ランプ制御基板８，図柄制御基板９等を備えている。フィルタ基板２は、パチンコ遊技場の電源設備から供給された２４ボルト交流電源（以降、「ＡＣ２４Ｖ」と記載する。）を遊技機１に最初に取り入れる基板であり、ＡＣ２４Ｖ電源ケーブル１０によって、パチンコ遊技場の電源設備と接続されている。このパチンコ遊技場の電源設備では、商用１００ボルト交流電源をトランスによって２４ボルトに降圧してＡＣ２４Ｖを作り出している。
【００１７】
フィルタ基板２は、ヒューズ、サージアブソーバ、バリスタ、コンデンサ、コイル等からなる電気基板であり、ＡＣ２４Ｖのオンオフを行う電源スイッチ、電源ノイズの除去を行うフィルタ回路、ＡＣ２４Ｖが異常な場合に遮断する遮断回路等からなる。電源基板２は、フィルタ基板２から供給されるＡＣ２４Ｖを、各基板のための直流の電源に変換するための基板である。具体的には、ＡＣ２４Ｖから直流（ＤＣ）５Ｖ、ＤＣ１２Ｖ、ＤＣ２４Ｖ、ＤＣ３２Ｖ等を作り出している。このため、電源基板３は、電圧変換を行うためのトランスを備えており、このトランスが重量部品であるため、電源基板３は、他の基板に比べて重い基板である。
【００１８】
払出制御基板４は、貸球及び賞球を払い出す球払出装置１５を制御するための基板である。基板ユニット６は、音声制御基板７とランプ制御基板８とを収納するケースであり、音声制御基板７とランプ制御基板８とは基板連結用のコネクタで接続されている。音声制御基板７は、遊技機１の遊技内容に応じた効果音を発生制御する基板である。ランプ制御基板８は、遊技板上に設けられたランプの点灯及び消灯を遊技機１の遊技内容に応じて制御する基板である。図柄制御基板９は、遊技板上に設けられた液晶等の表示器の図柄を遊技機１の遊技内容に応じて制御する基板である。また、主基板５は、払出制御基板４、音声制御基板７、ランプ制御基板８、図柄制御基板９等を制御することにより、遊技機１全体の動作を司る基板である。すなわち、主基板５に対し、払出制御基板４、音声制御基板７、ランプ制御基板８、図柄制御基板９等の基板は、主基板５に制御される副基板である（以降、「副基板」とは、主基板５以外の払出制御基板４、音声制御基板７、ランプ制御基板８、図柄制御基板９等の基板を示す。）。
【００１９】
各基板の遊技機１における配置は、図１に示すように、フィルタ基板２が遊技機１の背面上部である。これは、パチンコ遊技場の電源設備からのＡＣ２４Ｖが、天井から供給されることが一般的であるためである。電源基板３は、基板自体が重いことから、遊技機１の設置の安定性を考慮して遊技機１の背面下部に設けられている。図柄制御基板９は、遊技板のほぼ中央に位置する表示器（図示せず）の背面側に設けられている。主基板５は、各基板に対して結線を行う必要があることから、遊技機１の背面の図柄制御基板９と電源基板３との間で、遊技機１の背面ほぼ中央に設けられている。また、払出制御基板４、音声制御基板７、ランプ制御基板８は、主基板５を取り囲むように、遊技機１の背面に設けられている。
【００２０】
次に、遊技機１内の電源供給の流れを説明する。まず、図２に示すように、パチンコ遊技場の電源設備からのＡＣ２４Ｖは、ＡＣ２４Ｖ電源ケーブル１０を介して、フィルタ基板２に入力される。最初は、フィルタ基板２の電源スイッチをオフしておくことにより、遊技機１にはＡＣ２４Ｖが供給されていない状態である。電源スイッチをオンすることにより、ＡＣ２４Ｖは、フィルタ基板２でノイズが除去される。フィルタ基板２でノイズ除去されたＡＣ２４Ｖは、図２に示すように、払出制御基板４で中継され、電源基板３及び遊技機１以外のカードユニット等に供給される（図２のＡＣ電源系矢線）。
【００２１】
電源基板３は、ＡＣ２４Ｖから各基板に必要な直流の電源を作り出して各基板に供給する（図２のＤＣ電源系矢線）。具体的には、図２及び図３に示すように、電源基板３は、まず、ＡＣ２４ＶからＤＣ５Ｖ、ＤＣ１２Ｖ、ＤＣ２４Ｖ、ＤＣ３２Ｖ等を作り出す。そして、まず、電源基板２の近傍に位置する払出制御基板４、主基板５及び音声制御基板７に電源を供給する。具体的には、図３に示すように、払出制御基板４及び主基板５にはＤＣ３２Ｖ（＋３２Ｖ）、ＤＣ１２Ｖ（＋１２Ｖ）及びＤＣ５Ｖ（＋５Ｖ）を、音声制御基板７にはＤＣ１２Ｖ（＋１２Ｖ）及びＤＣ５Ｖ（＋５Ｖ）を供給する。
【００２２】
音声制御基板７は、電源基板３から受け取ったＤＣ１２Ｖ（＋１２Ｖ）及びＤＣ５Ｖ（＋５Ｖ）を、自らの電源として取り込むと共に、音声制御基板７の上方に位置するランプ制御基板８に中継している。ランプ制御基板８は、音声制御基板７から受け取ったＤＣ１２Ｖ（＋１２Ｖ）及びＤＣ５Ｖ（＋５Ｖ）を、自らの電源として取り込むと共に、さらにランプ制御基板８の上方に位置する図柄制御基板９に中継している。このように、電源基板３から直流電源を直接又は中継により受けた各基板がそれぞれの動作をすることにより、遊技機１が動作する。尚、さらに主基板５で電源の配線を中継して、副基板に電源を供給してもよし、一旦主基板５で電源の配線を中継して、副基板に電源を供給してもよい。
【００２３】
以上のように、本実施の形態における遊技機１によれば、直流の電源を電源基板３から主基板５に直接供給することで、副基板のノイズが主基板５の電源の配線に混入することを防止し、主基板５を安定して動作させることにより、遊技機１全体の動作の安定を図ることができる。
【００２４】
尚、本実施例では、電源基板３から主基板５に直接一対一で電源を配線しているが、電源を主基板５又は副基板で中継しつつ、電源を主基板５及び副基板に供給することで、電源基板３から各基板までの電源の配線が短くなり、配線の束線が容易となると共に材料費を抑えることが可能である。
【００２５】
また、本実施例のように、電源基板３から出た電源を音声制御基板７，ランプ制御基板８、図柄制御基板９と互いに隣接する副基板（必要に応じては主基板５）の間で中継することにより、電源の配線をより短くすることができ、一段と材料費を抑えることが可能である。また、電源の配線が中継に係わらない基板上を通過することがなく、中継に係わらない基板の動作によって電源の配線にノイズが混入したり、逆に電源の配線から中継に係わらない基板にノイズを与えたりせず、各基板に安定した電源の供給が可能となる。
【００２６】
また、電源基板３を遊技機１の下部に配設することにより、電源基板３がトランスなどを実装していて重い場合でも、遊技機１全体の重量バランスが保たれ、遊技機１の設置の安定性を確保することができる。また、電源基板３を遊技機１の下部に配設し、遊技機１の下方に配設した主基板５又は副基板から、遊技機１の上方に配設した主基板５又は副基板に向かって、電源を順次中継することにより、電源の配線がループ状に形成されることなく放射状になることから、各基板のノイズや外来ノイズの影響を抑えることが可能である。
【００２７】
また、副基板のうち、液晶等のノイズを多く発生する表示器の図柄表示制御を行う図柄制御基板９を電源の中継の末端に接続することで、表示器のノイズが混入した電源が他の基板に配線されず、表示器のノイズによる影響を抑えることが可能である。
【００２８】
以上のように、電源の配線によるノイズの影響を軽減することで、遊技機１全体の安定動作を図ることが可能となる。
【００２９】
【発明の効果】
請求項１の発明によれば、電源を電源基板から主基板に直接供給することで、副基板のノイズが主基板の電源の配線に混入することを防止し、主基板を安定して動作させることにより、遊技機全体の動作の安定を図ることができる。
また、請求項１及び請求項２の発明によれば、電源を主基板又は副基板で中継しつつ、電源を主基板及び副基板に供給することで、電源基板から各基板までの電源の配線が短くなり、束線が容易となると共に材料費を抑えることが可能である。
【００３０】
請求項３の発明によれば、電源を主基板で中継しつつ、副基板に電源を供給することで、副基板のノイズが主基板の電源の配線に混入することを防止し、主基板を安定して動作させることにより、遊技機全体の動作の安定を図ることができる。
また、請求項３及び請求項４の発明によれば、電源を主基板又は副基板で中継しつつ、電源を主基板及び副基板に供給することで、電源基板から各基板までの電源の配線が短くなり、束線が容易となると共に材料費を抑えることが可能である。
【００３１】
請求項５の発明によれば、電源を副基板で中継しつつ、電源を副基板に供給することで、電源基板から各基板までの電源の配線が短くなり、束線が容易となると共に材料費を抑えることが可能である。
【００３２】
請求項６の発明によれば、電源基板を遊技機の下部に配設し、遊技機の下方に配設した主基板又は副基板から、主基板又は下方の副基板の上方に配設した副基板に向かって、電源を中継することにより、電源の配線がループ状に形成されることなく放射状になることから、各基板のノイズや外来ノイズの影響を抑えることが可能である。
【００３３】
請求項７の発明によれば、互いに隣接する主基板又は副基板の間で、電源を中継することにより、電源の配線をより短くすることができ、一段と材料費を抑えることが可能である。また、電源の配線が中継に係わらない基板上を通過することがなく、中継に係わらない基板の動作によって電源の配線にノイズが混入したり、逆に電源の配線から中継に係わらない基板にノイズを与えたりせず、各基板に安定した電源の供給ができ、遊技機が安定して動作可能となる。
【００３４】
請求項８の発明によれば、副基板のうち、液晶等のノイズを多く発生する表示器の図柄表示制御を行う図柄制御基板を電源の中継の末端に接続することで、表示器のノイズが混入した電源が他の基板に配線されず、表示器のノイズによる影響を抑えることが可能である。
【図面の簡単な説明】
【図１】本発明に係る遊技機の実施形態を示す背面図である。
【図２】本発明に係る遊技機の実施形態を示す電源系統図である。
【図３】本発明に係る遊技機の実施形態を示す配線図である。
【図４】従来の遊技機の電源系統図である。
【符号の説明】
１・・・・遊技機
２・・・・フィルタ基板
３・・・・電源基板
４・・・・払出制御基板
５・・・・主基板
６・・・・基板ユニット
７・・・・音声制御基板
８・・・・ランプ制御基板
９・・・・図柄制御基板
１０・・・ＡＣ２４Ｖ電源ケーブル
【図１】
2004073665.tif 000003
【図２】
2004073665.tif 000004
【図３】
2004073665.tif 000005
【図４】
2004073665.tif 000006